(57)【特許請求の範囲】
【請求項１】
窓枠（１０）、及び窓枠（１０）内にスライド開閉可能に設置される少なくとも一対の窓（２０）を含む建具であって、
前記窓（２０）のいずれか１つの窓（２１）に設置される駆動モータ（１１０）、及び前記駆動モータ（１１０）の動力が伝達されて回転し、隣接設置された固定窓（２３）の一面に外周面が当接するように設置されて前記窓（２１）をスライド開閉させる駆動ローラ（１２０）を含む、自動開閉部（１００）と、
前記窓（２０）に設置されて室内の空気を換気させる自然換気部（２００）と、
前記窓（２０）のガラスに設置され、前記ガラスの光透過率を制御して透明又は不透明状態に切り換える光調節部（３００）と、
前記建具に設置され、窓（２１）が開閉されたか否かをリアルタイムで感知する感知センサ（４１０）を含む開閉通知部（４００）と、
前記自動開閉部（１００）、前記自然換気部（２００）、前記光調節部（３００）、及び前記開閉通知部（４００）を含む諸構成要素を使用者の無線通信端末機（５１０）を用いて選択的に制御すると共に、前記無線通信端末機（５１０）上に前記諸構成要素の状態をリアルタイムで表示する制御部（５００）とを含み、
前記自動開閉部（１００）は、
前記窓（２１）の手動開閉操作が可能なように、前記駆動モータ（１１０）と駆動ローラ（１２０）を連結するシャフト（１１１）上に設置されて、前記駆動ローラ（１２０）に伝達される動力を選択的に遮断する電磁クラッチ（１３０）をさらに含む、ことを特徴とする、住居環境改善のための機能が備えられた建具。
【請求項２】
前記自動開閉部（１００）は、
前記一対の窓（２０）が互いに合わされる召合せ框（２１ａ）内の上部もしくは下部、またはそれらの両方に設置されたことをさらに含む、請求項１に記載の住居環境改善のための機能が備えられた建具。
【請求項３】
前記駆動ローラ（１２０）は、
ゴム又はウレタン材質で形成され、
外周面には、前記窓（２３）の一面（２３ａ）に接触時に摩擦力を付与できるように複数の凹凸溝（１２１）が一定間隔で離隔して形成されたことをさらに含む、請求項１に記載の住居環境改善のための機能が備えられた建具。
【請求項４】
前記駆動ローラ（１２０）の外周面と当接する前記窓（２３）の一面（２３ａ）には、
前記駆動ローラ（１２０）の最初の駆動時にスリップ現象を防止できるように、前記凹凸溝（１２１）と噛み合う凹凸パッド（１２３）が備えられたことをさらに含む、請求項３に記載の住居環境改善のための機能が備えられた建具。
【請求項５】
前記自動開閉部（１００）は、
前記窓（２１）の閉動作時にその間を通過する人又は物体が感知される場合、前記駆動モータ（１１０）の作動を停止させる安全センサ（１４０）をさらに含む、請求項１に記載の住居環境改善のための機能が備えられた建具。
【請求項６】
前記自動開閉部（１００）は、
前記駆動ローラ（１２０）の外周面を窓（２３）の一面（２３ａ）に加圧密着させる加圧装置（１５０）をさらに含み、
前記加圧装置（１５０）は、
一側が、ベアリング（１５１ａ）を介して前記シャフト（１１１）に結合され、他側が、窓（２１）に固定された固定部材（１５１ｂ）にスライド可能に結合されるスライド部材（１５１）と、
前記スライド部材（１５１）のスライド方向に沿って離隔するように窓（２１）に固定され、締結孔（１５３ａ）が備えられる支持部材（１５３）と、
前記締結孔（１５３ａ）に螺合され、その先端がスライド部材（１５１）の一面（１５３ｃ）に当接してスライド部材（１５１）を加圧移動させる操作部材（１５５）とを含む、請求項１に記載の住居環境改善のための機能が備えられた建具。
【請求項７】
前記スライド部材（１５１）は、
円滑なスライド移動が可能なように固定部材（１５１ｂ）と複数の玉（１５１ｄ）を媒介として結合されることをさらに含む、請求項６に記載の住居環境改善のための機能が備えられた建具。
【請求項８】
前記自然換気部（２００）は、
室内空気中に含まれた二酸化炭素の濃度を測定する二酸化炭素センサ（２１０）をさらに含み、
前記二酸化炭素センサ（２１０）で測定された測定値が基準値を超える場合、前記自然換気部（２００）を自動で作動させることを特徴とする、請求項１に記載の住居環境改善のための機能が備えられた建具。
【請求項９】
前記光調節部（３００）は、
前記ガラスの全体又は一部分の透明／不透明の程度を選択的に制御することをさらに含む、請求項１に記載の住居環境改善のための機能が備えられた建具。
【請求項１０】
前記感知センサ（４１０）は、
前記スライド開閉される窓（２１）と窓枠（１０）に互いに対応するように取り付けられて前記窓（２１）が開閉されたか否かを感知する少なくとも一対の磁石式センサであることを特徴とする、請求項１に記載の住居環境改善のための機能が備えられた建具。
【請求項１１】
前記制御部（５００）は、
近距離通信をサポートする無線通信を用い、無線信号がゲートウェイ（ｇａｔｅｗａｙ）に伝達された後、インターネットを介して前記無線通信端末機（５１０）のアプリケーションと接続されることをさらに含む、請求項１に記載の住居環境改善のための機能が備えられた建具。
【請求項１２】
前記無線通信端末機（５１０）は、
スマートフォン、タブレットＰＣ、携帯電話、デスクトップコンピュータ、ノートパソコン、タブレットノートパソコン、及びＰＤＡのいずれか１つであることを特徴とする、請求項１に記載の住居環境改善のための機能が備えられた建具。
【請求項１３】
前記制御部（５００）は、
前記感知センサ（４１０）から感知された信号が非認可者の侵入であるか否かを判断した後、建具（１）自体に備えられたスピーカー及び使用者の端末機（５１０）のいずれか一方または両方に警告アラームを発生させることを特徴とする、請求項１又は１１に記載の住居環境改善のための機能が備えられた建具。
【発明の詳細な説明】
【技術分野】
【０００１】
本発明は、住居環境改善のための機能が備えられた建具に関し、より詳細には、窓の自動開閉、自然換気、ガラス窓を透明／不透明状態に切り換える光調節、窓の強制開閉を感知する開閉通知などの様々な機能を、スマートフォンなどの端末機を用いて場所に拘らずにリアルタイムで制御できる建具に関する。
【背景技術】
【０００２】
一般に、建具は、室内と室外を隔離させる壁体の役割を果たすと同時に、陽光と外部の新鮮な空気を流入させて室内換気を可能にする役割を果たす。
【０００３】
最近は、建具の単純な開閉機能のみならず、使用者の便宜のために窓の自動開閉、換気、防犯システムなどを結びつけた建具システムが提案されている。
【０００４】
例えば、窓を自動で開閉できるように駆動手段によって回転するスクリュー軸を介して窓をスライド開閉させ得る自動開閉装置が従来の韓国登録特許第１０−０９１５９５２号として先に出願されている。
【０００５】
しかし、このような窓の自動開閉装置や換気装置などはほとんど、使用者が室内でリモコンなどによって近距離で直接操作しなければならない方式である。したがって、使用者が外出した場合、換気装置の作動及び窓の開閉有無が気になったり、または急な雨天時に開放された窓を閉じなければならなかったりする状況などで不便を体験する場合がほとんどである。
【０００６】
一方、従来の盗難防止及び無断侵入を防止するための防犯システムは、外部からの侵入が予測可能な場所に複数のセンサを装着し、センサから感知された信号で侵入に対する警告として警報音を鳴らしたり、警備サービス会社又は交番などに侵入事実を知らせて迅速な出動が行われ得るようにしたりしており、このような防犯建具システムに対して従来の韓国登録実用新案第２０−０３１０２１４号として先に出願されている。
【０００７】
しかし、このような従来の防犯システムは、設置当時に定められた場所にのみ侵入事実を知らせる信号を送信するなど、使用者が望む場所に信号を送信することができない。
【０００８】
さらに、使用者が外出中には防犯システムを制御することができないため、正常に作動しているか否かに対して確認が不可能であるという問題がある。
【先行技術文献】
【特許文献】
【０００９】
【特許文献１】韓国登録特許第１０−０９１５９５２号
【特許文献２】韓国登録実用新案第２０−０３１０２１４号
【発明の概要】
【発明が解決しようとする課題】
【００１０】
本発明は、上述した問題点を解決するために創出されたもので、窓の自動開閉、自然換気、窓ガラスを透明／不透明状態に切り換える光調節、窓の強制開閉を感知する開閉通知などの様々な機能が備えられて住居環境を改善することができ、前記の様々な機能をスマートフォンなどの端末機を用いて場所に拘らずにリアルタイムで制御できる建具を提供することにその目的がある。
【課題を解決するための手段】
【００１１】
上述したような目的を達成するための本発明に係る住居環境改善のための機能が備えられた建具は、窓枠、及び窓枠内にスライド開閉可能に設置される少なくとも一対の窓を含む建具であって、前記窓に設置される駆動モータ、及び前記駆動モータの動力が伝達されて回転し、隣接設置された固定窓の一面に外周面が当接するように設置されて前記窓をスライド開閉させる駆動ローラを含む、自動開閉部と；前記窓に設置されて室内の空気を換気させる自然換気部と；前記窓のガラスに設置され、前記ガラスの光透過率を制御して透明又は不透明状態に切り換える光調節部と；前記建具に設置され、窓が開閉されたか否かをリアルタイムで感知する感知センサを含む開閉通知部と；前記諸構成要素を使用者の無線通信端末機を用いて選択的に制御すると共に、前記無線通信端末機上に前記諸構成要素の状態をリアルタイムで表示する制御部と；を含むことを特徴とする。
【００１２】
この場合、前記自動開閉部は、前記窓の手動開閉操作が可能なように、前記駆動モータと駆動ローラを連結するシャフト上に設置されて、前記駆動ローラに伝達される動力を選択的に遮断する電磁クラッチをさらに含む。
【００１３】
また、前記自動開閉部は、少なくとも一対の窓が互いに合わされる召合せ框内の上部もしくは下部、またはそれらの両方に設置されることをさらに含む。
【００１４】
また、前記駆動ローラは、ゴム又はウレタン材質で形成され、外周面には、前記窓との接触時に摩擦力を付与できるように複数の凹凸溝が一定間隔で離隔して形成されることをさらに含む。
【００１５】
また、前記駆動ローラの外周面と当接する前記窓の一面には、前記駆動ローラの最初の駆動時にスリップ現象を防止できるように、前記凹凸溝と噛み合う凹凸パッドが備えられたことをさらに含む。
【００１６】
また、前記自動開閉部は、前記窓の閉動作時にその間を通過する人又は物体が感知される場合、前記駆動モータの作動を停止させる安全センサをさらに含む。
【００１７】
また、前記自動開閉部は、前記駆動ローラの外周面を窓の一面に加圧密着させる加圧装置をさらに含み、前記加圧装置は、一側が、ベアリングを介して前記シャフトに結合され、他側が、窓に固定された固定部材にスライド可能に結合されるスライド部材；前記スライド部材のスライド方向に沿って離隔するように窓に固定され、締結孔が備えられる支持部材；及び前記締結孔に螺合され、その先端がスライド部材の一面に当接してスライド部材を加圧移動させる操作部材；を含む。
【００１８】
また、前記スライド部材は、円滑なスライド移動が可能なように固定部材と複数の玉を媒介として結合されることをさらに含む。
【００１９】
また、前記自然換気部は、室内空気中に含まれた二酸化炭素の濃度を測定する二酸化炭素センサをさらに含み、前記二酸化炭素センサで測定された測定値が基準値を超える場合、前記自然換気部を自動で作動させることを特徴とする。
【００２０】
また、前記光調節部は、前記ガラスの全体又は一部分の透明／不透明の程度を選択的に制御することをさらに含む。
【００２１】
また、前記開閉通知部の感知センサは、前記スライド開閉される窓と窓枠とに互いに対応するように取り付けられて前記窓が開閉されたか否かを感知する少なくとも一対の磁石式センサであることを特徴とする。
【００２２】
また、前記制御部は、近距離通信をサポートする無線通信を用い、無線信号がゲートウェイ（ｇａｔｅｗａｙ）に伝達された後、インターネットを介して前記端末機のアプリケーションと接続されることをさらに含む。
【００２３】
また、前記端末機は、スマートフォン、タブレットＰＣ、携帯電話、デスクトップコンピュータ、ノートパソコン、タブレットノートパソコン、及びＰＤＡのいずれか１つであることを特徴とする。
【００２４】
また、前記制御部は、前記感知センサから感知された信号が非認可者（認可されていない外部の人）の侵入であるか否かを判断した後、建具自体に備えられたスピーカー及び使用者の端末機のいずれか一方または両方に警告アラームを発生させることを特徴とする。
【発明の効果】
【００２５】
以上のような構成の本発明に係る住居環境改善のための機能が備えられた建具は、窓の自動開閉、自然換気、ガラス窓を透明／不透明状態に切り換える光調節、窓の強制開閉を感知する開閉通知などの様々な機能が備えられて住居環境を改善することができ、スマートフォンなどの端末機を用いて前記様々な機能を場所に拘らずに個別／統合的に制御することができる。
【００２６】
また、使用者が主に使用する外出、就寝、休暇などの特定の状況を端末機のライフスタイルメニューに予め設定しておくことによって、当該モードを簡単に選択して使用できるという利点がある。
【図面の簡単な説明】
【００２７】
【図１】本発明に係る住居環境改善のための機能が備えられた建具の斜視図である。
【図２】本発明に係る建具の全体構成図である。
【図３】本発明に係る建具の室内側立面図である。
【図４】図３のＩ−Ｉ線断面図である。
【図５】本発明に係る駆動ローラが隣接する窓に密着した状態を示す概略的な側断面図である。
【図６】本発明に係る駆動ローラの位置を調節する加圧装置を示す斜視図である。
【図７】図６の側断面図である。
【図８Ａ】本発明に係る端末機にインストールされて建具の様々な機能を制御するアプリケーションの構成図である。
【図８Ｂ】本発明に係る端末機にインストールされて建具の様々な機能を制御するアプリケーションの構成図である。
【図８Ｃ】本発明に係る端末機にインストールされて建具の様々な機能を制御するアプリケーションの構成図である。
【図８Ｄ】本発明に係る端末機にインストールされて建具の様々な機能を制御するアプリケーションの構成図である。
【図８Ｅ】本発明に係る端末機にインストールされて建具の様々な機能を制御するアプリケーションの構成図である。
【図８Ｆ】本発明に係る端末機にインストールされて建具の様々な機能を制御するアプリケーションの構成図である。
【図８Ｇ】本発明に係る端末機にインストールされて建具の様々な機能を制御するアプリケーションの構成図である。
【図８Ｈ】本発明に係る端末機にインストールされて建具の様々な機能を制御するアプリケーションの構成図である。
【図８Ｉ】本発明に係る端末機にインストールされて建具の様々な機能を制御するアプリケーションの構成図である。
【図８Ｊ】本発明に係る端末機にインストールされて建具の様々な機能を制御するアプリケーションの構成図である。
【発明を実施するための形態】
【００２８】
以下、添付の図面を参照して、本発明の好ましい実施例に対する構成及び作用を詳細に説明すると、次の通りである。
【００２９】
ここで、各図面の構成要素に対して参照符号を付加するにおいて、同一の構成要素に限っては、たとえ他の図面上に表示されても、可能な限り同一の符号で表記されたことに留意しなければならない。
【００３０】
図１は、本発明に係る住居環境改善のための機能が備えられた建具の斜視図であり、図２は、本発明に係る建具の全体構成図であり、図３は、本発明に係る建具の室内側立面図である。
【００３１】
図１及び図２を参照すると、窓枠１０内にスライド開閉可能に設置される少なくとも一対の窓２０を含む本発明の好ましい一実施例に係る住居環境改善のための機能が備えられた建具１は、自動開閉部１００、自然換気部２００、光調節部３００、開閉通知部４００、及び制御部５００を含む。
【００３２】
このような本発明の構成について具体的に説明すると、次の通りである。
【００３３】
図３を参照すると、自動開閉部１００は、少なくとも一対の窓２０のうちスライド開閉されるいずれか１つの窓２１に設置され、窓２１を自動で開閉させる役割を果たす。前記自動開閉部１００は、一対の窓２０が互いに合わされる召合せ框２１ａ内の上部もしくは下部、またはそれらの両方に設置されてもよい。本発明では、前記自動開閉部１００が召合せ框２１ａ内の上・下部にそれぞれ設置された場合の一例を挙げて図示し、説明する。
【００３４】
図４を参照すると、前記自動開閉部１００は、スライド開閉される窓２１の召合せ框２１ａ内に設置される駆動モータ１１０と、前記駆動モータ１１０の動力が伝達されて回転し、隣接設置された固定窓２３の一面２３ａに外周面が当接するように設置されて窓２１をスライド開閉させる駆動ローラ１２０とを含むことができる。
【００３５】
なお、前記自動開閉部１００は、窓２１を手動又は自動で開閉できるように切り換える電磁クラッチ１３０をさらに含むことができる。電磁クラッチ１３０は、駆動モータ１１０と駆動ローラ１２０を連結するシャフト１１１上に設置されて、駆動ローラ１２０に伝達される動力を選択的に遮断するもので、停電や機器の故障時にいつでも窓２１を手動で切り換えて開放することができる。
【００３６】
電磁クラッチ１３０の作動原理について具体的に説明すると、駆動モータ１１０の回転軸に一体に結合された第１ギヤ１１３が備えられ、第１ギヤ１１３は、第２ギヤ１１５と噛み合わされてシャフト１１１を回転させる方式で駆動ローラ１２０を駆動させる。このとき、前記第２ギヤ１１５は、シャフト１１１上に空回り可能に結合された状態である。そして、シャフト１１１の同一軸線上には、電磁クラッチ１３０が第２ギヤ１１５と並列に結合される。電磁クラッチ１３０は、シャフト１１１と一体に結合されて回転するもので、内部には電磁石（図示せず）が備えられる。
【００３７】
したがって、前記電磁クラッチ１３０の電磁石に電流を印加すると、磁力によって、隣接して設置された第２ギヤ１１５が電磁クラッチ１３０に付いて一体に回転するようになり、これによって、駆動モータ１１０の動力を駆動ローラ１２０に伝達して窓２１を自動で開閉できるようになる。
【００３８】
逆に、電磁石に流れていた電流を遮断すると、電磁クラッチ１３０と第２ギヤ１１５とが離れることになり、駆動ローラ１２０に伝達されていた駆動モータ１１０の動力が遮断される。したがって、停電又は自動開閉部１００の故障時に窓２１の円滑な手動開閉が可能になる。
【００３９】
この場合、前記第１ギヤ１１３及び第２ギヤ１１５は、スパーギヤで構成されても構わないが、発生する騒音を低減させることができるようにヘリカルギヤを使用することが好ましい。
【００４０】
図５を参照すると、前記駆動ローラ１２０は、外周面が当接するようになる窓２３との密着力を向上させることができるようにゴム又はウレタン材質で形成されてもよい。
【００４１】
なお、駆動ローラ１２０の外周面には、窓２３の一面２３ａとの接触時に摩擦力を付与できるように、複数の凹凸溝１２１が一定間隔で離隔して形成されてもよい。
【００４２】
また、前記駆動ローラ１２０の外周面と当接する窓の一面２３ａには、駆動ローラ１２０の最初の駆動時にスリップ現象を防止できるように、凹凸溝１２１と噛み合う凹凸パッド１２３が備えられてもよい。凹凸パッド１２３は、窓２３の一面２３ａの開閉される方向に沿って全面積に形成されてもよいが、停止していた駆動ローラ１２０を最初に駆動させる所定区間にのみ適用されてもよいことは勿論である。
【００４３】
再び図３を参照すると、前記自動開閉部１００は、窓２１の閉動作を確認できないままその間を通過する人や物体が感知される場合、駆動モータ１１０の作動を直ちに停止させることができるように安全センサ１４０をさらに備えることができる。安全センサ１４０は、召合せ框２１ａ、または窓２１の閉鎖時のその先端に設置されてもよい。本発明では、召合せ框２１ａに設置された場合の一例を挙げて説明する。
【００４４】
図６及び図７を参照すると、自動開閉部１００は、駆動ローラ１２０の外周面を窓２３の一面２３ａに加圧密着させる加圧装置１５０をさらに備えることができる。すなわち、前記自動開閉部１００の設置時に、構成物間の組立公差の誤差により駆動ローラ１２０の外周面が窓２３の一面２３ａ（図４参照）に密着しない場合が発生し得る。すなわち、窓２３の一面２３ａと駆動ローラ１２０の外周面との間隔が１〜２ｍｍ程度に微細に離れても動力の伝達が円滑に行われないことがある。
【００４５】
したがって、別途の加圧装置１５０を設置して駆動ローラ１２０と窓２３との間隔を容易に調節することによって、窓２１の自動開閉に必要な摩擦力を付与することができる。
【００４６】
具体的に、前記加圧装置１５０は、一側が、ベアリング１５１ａを介してシャフト１１１に結合され、他側が、窓２１に固定された固定部材１５１ｂ（図７参照）にスライド可能に結合されるスライド部材１５１と、スライド部材１５１のスライド方向に沿って離隔するように窓２１に固定され、締結孔１５３ａが備えられる支持部材１５３と、締結孔１５３ａに螺合され、その先端がスライド部材１５１の一面１５３ｃに当接してスライド部材１５１を加圧移動させる操作部材１５５とを含むことができる。
【００４７】
この場合、前記スライド部材１５１は、円滑なスライド移動が可能なように、固定部材１５１ｂと複数の玉１５１ｄを媒介として結合されることが好ましい。
【００４８】
なお、操作部材１５５の一面には、六角レンチなどの工具を用いて回動操作できるようにレンチ溝を備えることができる。勿論、これに限定されず、前記操作部材１５５をスパナやドライバーなどのその他の工具を用いて操作できるように様々な構造に変更して適用可能である。
【００４９】
また、本発明では、スライド部材１５１の一側をシャフト１１１上にベアリング１５１ａを介して結合して駆動モジュールの位置を移動させる場合の一例を挙げて図示し、説明したが、これに限定されず、駆動モータ１１０及び駆動ローラ１２０を含む駆動モジュールの位置を容易に移動させ得る構造であれば、多様に変更して適用できることは勿論である。
【００５０】
また、前記加圧装置１５０は、召合せ框２１ａ内の縦長さ方向に沿って複数個が離隔設置されて駆動モジュールの全体位置を同じ間隔で移動させることが好ましい。
【００５１】
以上のような構成からなる自動開閉部１００は、一般的なスライド建具はもちろん、リフトスライド（Ｌｉｆｔ  ｓｌｉｄｉｎｇ）建具に適用されて使用されてもよい。
【００５２】
再び図３を参照すると、自然換気部２００は、窓２０に設置されて室内の空気を換気させるもので、このような自然換気部２００は、少なくとも一対の窓２０のうち開閉されない固定窓２３に設置されることが好ましい。
【００５３】
この場合、前記自然換気部２００は、室内空気中に含まれた二酸化炭素の濃度を測定する二酸化炭素センサ２１０を含むことができる。これによって、前記二酸化炭素センサ２１０で測定された測定値が基準値を超える場合、自然換気部２００を自動で作動させることができる。
【００５４】
この場合、前記自然換気部２００に使用される建具用換気装置に対しては、本出願人によって出願された大韓民国登録特許第１０−１２７４８３８号、登録特許第１０−１２５９６７１号、登録特許第１０−１２６０５６４号、登録特許第１０−１３０１８１１号、登録特許第１０−１２９３８５２号、登録特許第１０−１３０７６４５号、登録特許第１０−１４３３４３７号、登録特許第１０−１２９３８４６号、登録特許第１０−１２９２３６５号、登録特許第１０−１３３０４４７号、登録特許第１０−１２５２９０６号、登録特許第１０−１２７２９９４号、登録特許第１０−１３３８５４７号、登録特許第１０−１２７３０１９号、登録特許第１０−２９３８０２号、登録特許第１０−１２６３９９１号、登録特許第１０−１２５４４１３号のいずれか１つを適用して使用することができる。勿論、これに限定されるものではなく、一般的に建具に使用される換気装置を適用して使用してもよい。このような建具用換気装置に対する詳細な作動原理などの説明は省略する。
【００５５】
光調節部３００は、窓２０に備えられたガラスの一部又は全体に設置されて、ガラスの光透過率を透明又は不透明状態に切り換える役割を果たすもので、通常、「マジックガラス（ｍａｇｉｃ  ｇｌａｓｓ）」とも呼ばれる。
【００５６】
光調節部３００に使用されるマジックガラスは、２枚のガラスの間にＩＴＯフィルム及び液晶を共に入れて圧着した接合ガラス構造である。このような光調節部３００は、マジックガラスに電圧を印加することによって、フィルムの間に分子配列が変化して瞬間的に不透明状態から透明状態に切り換えることができ、電圧の変化によって透明度の変化を自由に演出することができる。
【００５７】
具体的に、電圧が印加されていない状態では棒状の分子として表される液晶は、カプセルの内壁に沿って整列する。この状態でマジックガラスに入射した光は、高分子と液晶の屈折率の差及び液晶の複屈折性によって、カプセルの表面や内部で屈折する。その結果、光は直進できずに散乱して不透明に見える。
【００５８】
反対に、電圧が印加されると、液晶分子が電圧を印加した方向と平行になろうとする特性のため、電極に対して垂直方向に配列される。このような配列状態で、屈折率が高分子の屈折率と一致する液晶であれば、カプセルの界面がないものと同一になり、光は散乱せずに直進するようになる。したがって、マジックガラスは透明に見える。
【００５９】
開閉通知部４００は、建具１に設置され、窓２１が開閉されたか否かをリアルタイムで感知する感知センサ４１０を含む。
【００６０】
この場合、前記感知センサ４１０は、スライド開閉される窓２１と窓枠１０に互いに対応するように取り付けられて前記窓２１が開閉されたか否かを感知する少なくとも一対の磁石式センサで構成されてもよい。
【００６１】
具体的に、前記感知センサ４１０は、開閉される窓２１の上部、及びそれに対応する窓枠１０の対向面に埋め込まれる方式で設置されてもよい。勿論、これに限定されるものではなく、窓２１が強制開閉されたか否かを容易に感知できる位置であれば、多様に変更して適用可能である。
【００６２】
制御部５００は、前記諸構成要素１００，２００，３００，４００を、使用者の無線通信端末機５１０を用いて時と場所に拘らずに各機能を個別／統合制御すると共に、無線通信端末機５１０の表示窓上に前記諸構成要素の状態をリアルタイムで表示する。
【００６３】
具体的に、制御部５００は、無線通信を用いて、無線信号がゲートウェイ（ｇａｔｅｗａｙ）に伝達された後、インターネットを介して端末機５１０のアプリケーションと接続される方式である。
【００６４】
この場合、前記無線通信はＲＦ通信方式を用いることが好ましい。勿論、これに限定されるものではなく、近距離通信をサポートするジグビー（ｚｉｇｂｅｅ）無線通信を適用して使用することができる。参考に、ジグビー無線通信は、近距離通信をサポートするＩＥＥＥ  ８０２．１５．４標準の一つをいう。家庭、事務室などの無線ネットワーキング分野において１０〜２０ｍ前後の近距離通信とユビキタスコンピューティングのための技術である。すなわち、ジグビーは、携帯電話や無線ＬＡＮの概念で、既存の技術と異なる特徴は、電力消耗を最小化する代わりに少量の情報を疎通させる概念である。
【００６５】
この場合、本発明では、無線通信をＲＦ通信やジグビー無線通信を適用した場合の一例を挙げて説明したが、これに限定されず、前記無線通信は、ブルートゥース（登録商標）、ワイファイ、ワイブロ、及びＮＦＣ（Ｎｅａｒ  Ｆｉｅｌｄ  Ｃｏｍｍｕｎｉｃａｔｉｏｎ）のいずれか１つを選択的に用いることもできる。
【００６６】
なお、前記端末機５１０は、携帯し易く、当該アプリケーションのインストールが簡便なスマートフォンを使用することが好ましい。前記スマートフォン以外に、タブレットＰＣ、携帯電話、デスクトップコンピュータ、ノートパソコン、タブレットノートパソコン、及びＰＤＡのいずれか１つを使用することができることは勿論である。
【００６７】
このような構成の制御部５００は、端末機５１０の表示窓を介して、様々な機能が備えられた建具１の現在の状態をリアルタイムでモニタすることができる。
【００６８】
すなわち、使用者は、端末機５１０の当該アプリケーションを介して、建具１の開閉状態はもちろん、自然換気部２００、光調節部３００及び開閉通知部４００の作動をリアルタイムで確認することができる。
【００６９】
もし、建具１が開放されている状態であれば、端末機５１０のアプリケーションのメインメニューに備えられた自動開閉部１００のメニューを操作して、開放された窓２１をロック設定した後、建具１の開閉通知部４００を介して防犯モードを実行させることができる。
【００７０】
具体的に、前記開閉通知部４００で信号を感知した場合、制御部５００では、感知された信号を受信して、信号が認可されていない侵入であるか否かを判断する。制御部５００では、優先的に窓２０が強制開放されたかを確認し、窓２０が強制開放された場合であると判断されると、直ちに警告アラームを発生させる。警告アラームは、使用者の端末機５１０と同時に、建具１自体に備えられたスピーカー（図示せず）を介して発生させることができる。
【００７１】
なお、制御部５００では、使用者が予め設定した知人、保安会社、管理事務所、交番などを含む特定の連絡先のうち少なくともいずれか１つに文字メッセージを送信したり、電話をかけたりして侵入状況を直ちに通報することができる。
【００７２】
または、前記制御部５００では、使用者の端末機５１０に侵入状況に対する警告アラームを発生させると共に、前記のような複数の措置のいずれか１つを選択できるように表示窓に表示することができる。
【００７３】
図８Ａ乃至図８Ｇは、本発明に係る端末機に設置されて建具の様々な機能を制御するアプリケーションの構成図であって、それぞれのメニュー及び機能について具体的に説明する。
【００７４】
図８Ａを参照すると、端末機５１０の表示窓にはアプリケーションの最初の実行時のメインメニューが表示される。メインメニューには、各機能を一つの画面で全て制御できるようにした全体制御Ｔのメニュー、及び自動開閉部１００、自然換気部２００、光調節部３００及び開閉通知部４００の現在状態の表示はもちろん、詳細な条件で選択的に制御できるようにしたそれぞれのメニューが表示されてもよい。
【００７５】
図８Ｂは、メインメニュー（図８Ａ）から全体制御Ｔを選択したときに表示される内容であって、様々な機能１００〜４００を予め設定された条件でそれぞれ簡単に制御できるメニューが表示される。具体的に、自動開閉部１００には、窓２１を開閉させることができる閉／開ボタンが備えられ、自然換気部２００には、換気装置の停止／運転ボタンが備えられてもよい。そして、光調節部３００には、マジックガラスが適用された窓のガラスを透明／不透明状態に切り換える透明／遮断ボタンが備えられ、開閉通知部４００には、家の防犯状態を設定できる解除／設定ボタンが備えられてもよい。
【００７６】
図８Ｃは、メインメニュー（図８Ａ）から自動開閉部１００のメニューを選択したときに表示される内容であって、窓２１が現在開閉されたか否かを表示することは勿論、窓２１を開閉することができ、また、開閉したい窓を選択的にチェックする方式で選択することができる。
【００７７】
また、自動開閉部１００では、窓２１の開閉の程度を選択することができる。すなわち、窓２１が全開される幅が１００ｃｍとしたとき、開放される幅を２０〜３０ｃｍ程度に選択して自然換気させるか、または空き家にぽつんと残されたペットがベランダと居間を自由に出入りできるように設定することができる。
【００７８】
図８Ｄは、メインメニュー（図８Ａ）から自然換気部２００のメニューを選択したときに表示される内容であって、換気装置が運転されているか否か、フィルターの交換時期、及び二酸化炭素センサ２１０を介して感知された二酸化炭素の濃度をリアルタイムで表示することができる。
【００７９】
なお、前記感知された二酸化炭素の濃度が基準値（例えば、８００ｐｐｍ）以上である場合、換気装置を自動で稼働させ得るように設定することができる。
【００８０】
図８Ｅは、メインメニュー（図８Ａ）から光調節部３００のメニューを選択したときに表示される内容であって、マジックガラスが適用された窓２０の透明／不透明状態を表示することは勿論、透明／不透明状態をリアルタイムで切り換えることができる。
【００８１】
図８Ｆは、メインメニュー（図８Ａ）から開閉通知部４００のメニューを選択したときに表示される内容であって、現在の建具１の防犯設定状態を表示することは勿論、防犯の解除及び設定を操作することができる。
【００８２】
一方、前記開閉通知部４００で防犯が設定された状態で強制開閉が感知される場合、制御部５００では、端末機５１０上に、図８Ｇに示したような警告アラーム窓を表示し、これを確認した使用者は、予め設定した知人、保安会社、管理事務所、交番などを含む特定の連絡先のうち少なくともいずれか１つに文字メッセージを送信したり、電話をかけたりして侵入状況を直ちに通報することができる。
【００８３】
図８Ｈを参照すると、端末機５１０の表示窓の右側上端には、設定Ｓのメニューが常時表示され、設定Ｓのメニューを選択したときにプルダウンメニューが現れる。
【００８４】
図８Ｉは、プルダウンメニューにおいてライフスタイルＬのメニューを選択したときに表示される内容である。ライフスタイルＬは、使用者が主に使用する外出、就寝、休暇などの特定の状況に合わせて建具１の様々な機能１００，２００，３００，４００を予め設定しておくことができるようにしたものである。各状況は使用者が任意に定めることができる。
【００８５】
すなわち、図８Ｊに示したように、「外出」状況を設定する場合、「窓選択」メニューで「開閉通知」、「自動開閉」、「光調節」、「自然換気」などの状況を使用者の趣向に合わせてそれぞれ設定することができる。一例として、窓２１の開閉通知はオン（ｏｎ）状態に、自動開閉は閉状態に、光調節は不透明状態に、自然換気はオフ（ｏｆｆ）状態に設定することができる。
【００８６】
また、「就寝」や数日間留守になる「休暇」などもまた、状況に合わせて使用者が適切に選択して格納しておくことができる。
【００８７】
その後、使用者は、当該状況で設定ＳのメニューのライフスタイルＬを選択した後、格納された適当な状況のうちいずれか１つを選んで「実行」を選択すると、予め設定された内容で建具１の様々な機能１００，２００，３００，４００が直ちに実行される。
【００８８】
以上のような構成の本発明に係る住居環境改善のための機能が備えられた建具１は、窓２０の自動開閉、自然換気、ガラス窓を透明／不透明状態に切り換える光調節、窓の強制開閉を感知する開閉通知などの様々な機能が備えられることによって、使用者の住居環境を改善することができる。
【００８９】
前記のような機能が備えられた建具１は、使用者が持っているスマートフォンなどの端末機５１０を用いて、様々な機能を場所に拘らずに個別／統合的に制御することができる。
【００９０】
また、使用者が主に使用することになる外出、就寝、休暇などの特定の状況を端末機５１０のライフスタイルＬのメニューに予め設定しておくことによって、当該モードを簡単に選択して使用することができる。
【００９１】
以上では、本発明を特定の好ましい実施例を挙げて図示し、説明したが、本発明は、前記の実施例に限定されず、本発明の技術思想を逸脱しない範囲内で様々な変更及び修正が可能であることは勿論である。
【符号の説明】
【００９２】
１    建具
１０    窓枠
２０    窓
２１    窓
２１ａ    召合せ框
２３    固定窓
１００    自動開閉部
１１０    駆動モータ
１１１    シャフト
１１３    第１ギヤ
１１５    第２ギヤ
１２０    駆動ローラ
１２１    凹凸溝
１２３    凹凸パッド
【図１】
0006510727.tif 000002
【図２】
0006510727.tif 000003
【図３】
0006510727.tif 000004
【図４】
0006510727.tif 000005
【図５】
0006510727.tif 000006
【図６】
0006510727.tif 000007
【図７】
0006510727.tif 000008
【図８Ａ】
0006510727.tif 000009
【図８Ｂ】
0006510727.tif 000010
【図８Ｃ】
0006510727.tif 000011
【図８Ｄ】
0006510727.tif 000012
【図８Ｅ】
0006510727.tif 000013
【図８Ｆ】
0006510727.tif 000014
【図８Ｇ】
0006510727.tif 000015
【図８Ｈ】
0006510727.tif 000016
【図８Ｉ】
0006510727.tif 000017
【図８Ｊ】
0006510727.tif 000018